(57)【特許請求の範囲】
【請求項１】
錠ケース内に、本施解錠操作用のロック装置、このロック装置と連係する摺動子およびこの摺動子の上部側に位置して前記摺動子と連係するシフターを備え、錠ケースの側面に形成した開口から掛止端をつき合わせ引戸の開閉方向に出没させる掛金をこの掛金に連結支持された前記シフターの上下動によって回動動作させるように構成するとともに、前記シフターの室外側に錠ケースの前面開口から突出状態で設けられるつまみを操作することによって前記シフターが下方移動して仮施解錠がなされる一方、前記ロック装置に挿入したキーまたは室内側に前記ロック装置に連動するよう設けられるサムターンを操作することによって本施解錠がなされるように構成した引戸扉等のサムターン付き錠において、
前記ロック装置は、傾斜面に形成された上端面を有し、前記摺動子を上下動自在に案内する上下案内部を有する支持部材と、この支持部材の上下案内部下方位置に形成された貫通孔内に回動自在に支持され、かつキー溝が前面側に形成され、更に、係止突起が後面に形成された回動体と、この回動体とともに回動するよう前記上下案内部の裏面側に設けられ前記サムターンの係合溝部を後面側に突出状態で有する回動円板よりなり、この円板は前面に前記係止突起に係合するピン軸を有し、
また、前記摺動子は、前記ピン軸を遊嵌係合させるよう設けられ、前記掛金が解錠されている状態から前記キーまたはサムターンを操作して本施錠の状態にするときに前記円板の回動により前記摺動子を下方へ移動させうる係止孔を下部に有するとともに、前記摺動子の下方移動によって前記支持部材の前記傾斜面に当接案内されて回動変位する摺動カムと、前記掛金が解錠されている状態ではバネの付勢力で回動変位前の前記摺動カムに後端側が接近し、本施錠時では前記変位した前記摺動カムにより前記付勢力に抗して押圧され先端が突出する摺動ピンとを上端に有する一方、
前記シフターは、前記摺動子の下方移動時に前記摺動子とともに下方移動するよう前記摺動ピンの前記先端に係合する切欠孔を下部に有し、
更に、前記円板は後面において、前記係合溝部のまわりに円周溝を有するとともに、この円周溝内に位置決め用のピン溝を有する一方、
前記支持部材における前記上下案内部の裏面側において前記掛金が解錠されている状態と前記本施錠の状態とにのみ前記円板を位置決めしうる位置決め手段を有し、
しかも、この位置決め手段は、前記位置決め用のピン溝に嵌合する位置決め用のピンを有し、前記掛金が解錠されている状態と前記本施錠の状態とに切替わるときに前記円周溝を摺動する摺動部材と、この摺動部材から突出され、前記上下案内部の裏面側に設けた小孔部を貫通する位置決め用のシャフトと、このシャフトに両端が常時それぞれ前記小孔部および摺動部材を押圧するよう介挿され、それによって、前記掛金が解錠されている状態と前記本施錠の状態のときに前記円板の回動を阻止しうる位置決め用のバネとよりなることを特徴とする引戸扉等のサムターン付き錠。
【発明の詳細な説明】
【０００１】
【発明の属する技術分野】
この発明は、たとえばミニハウスや物置、倉庫、ガレージ等の組立家屋のつき合わせ引戸に使用されるサムターン付き錠に関する。
【０００２】
【従来の技術】
室外側から仮施錠が可能であり、かつ室外側と室内側の両方から本施錠が可能な引戸扉等のサムターン付き錠９８として、図１５に示すように、上端に傾斜面９９を有する支持部材１００と、この支持部材１００に形成された貫通孔１０１内に回動自在に支持され係止突起１０２が後面Ｄに形成された回動体１０３と、この回動体１０３とともに回動するよう支持部材１００の裏面Ｓ側に設けられサムターン１０４の係合溝部１０５を後面に突出状態で有する回動円板１０６とよりなるロック装置１０７を備え、このロック装置１０７と連係する摺動子１０８をシフター１０９と連係させ、そのシフター１０９によって掛金１１０を回動動作させるようにして、そのシフター１０９のつまみを下方操作することによって仮施解錠がなされる一方、回動体１０３に前面側から挿入したキー１１２またはサムターン１０４を操作することによって、本施解錠がなされるように構成したものがある。
【０００３】
本施錠の作動手順は以下の通りである。
（１）掛金１１０が解錠されている状態（図１７参照）（以下、フリー時という）で回動体１０３の前面側に設けたキー溝１０３ａ（図１６参照）にキー１１２を挿入する。図１６は、キー１１２挿入時の回動体１０３に設けた前記係止突起１０２の位置を示す。
（２）キー溝１０３ａに挿入されたキー１１２をたとえば時計まわり（Ａ方向）に回動させ始めると、予め摺動子１０８の係止孔１２０に遊嵌係合している回転円板１０６のピン軸１１３（図１７参照）が回動体１０３の前記係止突起１０２に係合して回転円板１０６がＡ方向に回動し始める（図１８参照）。このとき、摺動子１０８が下方へ移動し始める。
（３）同時に、摺動子１０８の上端に設けた摺動カム１２１が支持部材１００の前記傾斜面９９により摺動子１０８の上端に摺動カム１２１に隣接して設けた摺動ピン１２２の側に押されて摺動ピン１２２の先端１２２ａがシフター１０９の下端に設けた切欠孔１２３に引掛かり、摺動子１０８とともにシフター１０９も下方へ移動し始める。
（４）この状態でキー１１２を１８０度回動させると本施錠の状態になる。すなわち、摺動子１０８の更なる下降に連係してシフター１０９も図１９に示すように更に下降した状態になるとともに、このシフター１０９に連結支持されている掛金１１０が回動して図２０のようになり、掛金１１０を閉位置に固定することができる。図２１は、キー１１２を時計方向に１８０度回動させた本施錠の状態での回動体１０３に設けた前記係止突起１０２の位置を示す。すなわち、図２１において、キー１１２を時計方向に１８０度回動させると、係止突起１０２に係合するピン軸１１３を介して回転円板１０６もＡ方向に回動する。
【０００４】
【発明が解決しようとする課題】
そして、図２１の本施錠の状態（以下ロック時という）ではキー溝１０３ａからキー１１２を取り外すことはできず、また、キー１１２をロック時の位置から少しずらした位置まで戻しても取り外すことはできず、結局、ロック時の位置からキー１１２を反時計まわりに１８０度回動させて回動体１０３に設けた前記係止突起１０２を図１６で示すキー１１２挿入時（フリー時）の位置にもってきて始めてキー１１２を取り外すことができる。
【０００５】
ところで、このロック時において、従来では、たとえば振動等があるとその反動で掛金１１０が前記閉位置から外れ易くなるという事態が発生する場合がある。これは、前記回転円板１０６がフリー時のみならずロック時においても確実に位置決めされていないからであると考えられる。すなわち、ロックをおこない、キー１１２をフリー時の位置に戻してキー溝１０３ａからキー１１２を取り外した時点では、回動体１０３に設けた前記係止突起１０２の位置は、図１６に示した状態である一方、回転円板１０６の前記ピン軸１１３は図２１に示す位置にある。そのため、前記Ａ方向とは逆の方向には前記ピン軸１１３を遮るものはないので、振動等の反動で回転円板１０６は前記Ａ方向とは逆の方向に回動し易くなる。そして、前記逆の方向に回転円板１０６のピン軸１１３が回動すると、摺動子１０８が上方へ移動し始め、同時に、摺動ピン１２２の先端１２２ａがシフター１０９の下端に設けた切欠孔１２３に引掛かかった状態で、シフター１０９も上方へ移動し始め、結局、掛金１１０が解錠される事態になる。
【０００６】
また、フリー時においても、逆に前記Ａ方向には前記ピン軸１１３を遮るものはないので、振動等の反動で回転円板１０６は前記Ａ方向に回動し易くなり、ロック状態になるおそれがある。
【０００７】
この発明は、上述の事柄に基づいてなされたもので、回転円板をフリー時のみならずロック時においても確実に位置決めできる引戸扉等のサムターン付き錠を提供することを目的としている。
【０００８】
【課題を解決するための手段】
上記目的を達成するため、この発明は、錠ケース内に、本施解錠操作用のロック装置、このロック装置と連係する摺動子およびこの摺動子の上部側に位置して前記摺動子と連係するシフターを備え、錠ケースの側面に形成した開口から掛止端をつき合わせ引戸の開閉方向に出没させる掛金をこの掛金に連結支持された前記シフターの上下動によって回動動作させるように構成するとともに、前記シフターの室外側に錠ケースの前面開口から突出状態で設けられるつまみを操作することによって前記シフターが下方移動して仮施解錠がなされる一方、前記ロック装置に挿入したキーまたは室内側に前記ロック装置に連動するよう設けられるサムターンを操作することによって本施解錠がなされるように構成した引戸扉等のサムターン付き錠において、前記ロック装置は、傾斜面に形成された上端面を有し、前記摺動子を上下動自在に案内する上下案内部を有する支持部材と、この支持部材の上下案内部下方位置に形成された貫通孔内に回動自在に支持され、かつキー溝が前面側に形成され、更に、係止突起が後面に形成された回動体と、この回動体とともに回動するよう前記上下案内部の裏面側に設けられ前記サムターンの係合溝部を後面側に突出状態で有する回動円板よりなり、この円板は前面に前記係止突起に係合するピン軸を有し、また、前記摺動子は、前記ピン軸を遊嵌係合させるよう設けられ、前記掛金が解錠されている状態から前記キーまたはサムターンを操作して本施錠の状態にするときに前記円板の回動により前記摺動子を下方へ移動させうる係止孔を下部に有するとともに、前記摺動子の下方移動によって前記支持部材の前記傾斜面に当接案内されて回動変位する摺動カムと、前記掛金が解錠されている状態ではバネの付勢力で回動変位前の前記摺動カムに後端側が接近し、本施錠時では前記変位した前記摺動カムにより前記付勢力に抗して押圧され先端が突出する摺動ピンとを上端に有する一方、前記シフターは、前記摺動子の下方移動時に前記摺動子とともに下方移動するよう前記摺動ピンの前記先端に係合する切欠孔を下部に有し、更に、前記円板は後面において、前記係合溝部のまわりに円周溝を有するとともに、この円周溝内に位置決め用のピン溝を有する一方、前記支持部材における前記上下案内部の裏面側において前記掛金が解錠されている状態と前記本施錠の状態とにのみ前記円板を位置決めしうる位置決め手段を有し、しかも、この位置決め手段は、前記位置決め用のピン溝に嵌合する位置決め用のピンを有し、前記掛金が解錠されている状態と前記本施錠の状態とに切替わるときに前記円周溝を摺動する摺動部材と、この摺動部材から突出され、前記上下案内部の裏面側に設けた小孔部を貫通する位置決め用のシャフトと、このシャフトに両端が常時それぞれ前記小孔部および摺動部材を押圧するよう介挿され、それによって、前記掛金が解錠されている状態と前記本施錠の状態のときに前記円板の回動を阻止しうる位置決め用のバネとよりなるものである。
【０００９】
【発明の実施の形態】
以下、この発明の実施形態について図面を参照しながら説明する。
図１〜図１４において、１は、錠ケースで、この錠ケース１内に、本施解錠操作用のロック装置２、このロック装置２と連係する摺動子３およびこの摺動子３の上部側に位置して前記摺動子３と連係するシフター４を有する。
【００１０】
前記ロック装置２は、支持部材５と回動体（シリンダ）６と回動円板７よりなる。
【００１１】
前記支持部材５は、傾斜面Ｑに形成された上端面を有し、前記摺動子３を上下動自在に案内する上下案内部８を有するとともに、上下案内部８下方位置に貫通孔９を有する。
【００１２】
前記回動体６は、前記貫通孔９内に回動自在に支持されキー溝１０を前面側に有し、かつ、後面Ｗに係止突起１１を有する。
【００１３】
前記円板７は、前記回動体６とともに回動するよう前面Ｅに前記係止突起１１に係合するピン軸１２を有するとともに、支持部材５の前記上下案内部８の裏面Ｒ側に設けられている。そして、円板７は、室内側に前記ロック装置２に連動するよう設けられるサムターン１３の係合溝部１４を後面Ｔ側に突出状態で有する。
【００１４】
１５は、錠ケース１の側面に形成した開口から掛止端１５ａをつき合わせ引戸４１の開閉方向に出没させる板金材よりなる掛金である。
【００１５】
１６は、キー溝１０に挿入されるキーである。
【００１６】
前記摺動子３は、前記ピン軸１２を遊嵌係合させるよう設けられた係止孔１７を下部に有する。この係止孔１７は、掛金１５が解錠されている状態（以下フリー時という）（図２、図４、図５、図７、図１０参照）から前記キー１６をたとえば時計まわりに１８０度回動操作したり、または、前記キー１６の代わりにサムターン１３をたとえば反時計まわりに１８０度回動操作して本施錠の状態（以下ロック時という）（図９、図１１、図１３参照）にするときに前記円板７の回動により前記摺動子３を下方へ移動させうる。
【００１７】
更に、前記摺動子３は、上端に、摺動カム２０と摺動ピン２１を有する。すなわち、２０ａは、摺動カム２０の枢支部で、前記摺動カム２０は、摺動子３の下方移動によって前記支持部材５の前記傾斜面Ｑに当接案内され、図７の状態から、図８および図９に示す状態に順次、摺動ピン２１側に回動変位する。なお、図７は、フリー時を示し、回動変位前の摺動カム２０の位置を示している。また、図８は、摺動カム２０の回動変位途中位置を示し、図９は、摺動カム２０の回動変位終了位置を示す。
【００１８】
図７において、摺動ピンガイド体２３の前端小径部ｎ’には、案内孔２９が形成されており、この案内孔２９内にバネ定数の弱いバネ２４を介して摺動ピン２１の後端部２１ａが摺接可能に嵌め込まれている。また、２８は、ケース体であり、掛金１５が解錠されている状態では摺動ピン２１の後端部２１ａを覆う。そして、この後端部２１ａの外周における摺動ピンガイド体２３およびケース体２８間には前記バネ２４よりもバネ定数の強いバネ２２が介装されており、これによって、摺動ピンガイド体２３を摺動カム２０の側に付勢している。そのため、摺動カム２０の前端部ｍに摺動ピンガイド体２３の後端大径部ｎが当接する。一方、摺動ピン２１の前端部２１ｂは前記バネ２４の付勢力でシフター４の切欠孔２６（後述する）の側にケース体２８から突出することなく付勢されている。
【００１９】
以下、前記掛金１５の回動支持機構について簡単に説明する。
図３において、前記掛金１５は、支軸３０によって錠ケース１に回動自在に支持されている。支軸３０は、ピン３１ａによって錠ケース１に固定設置されるＬ型フレーム３１に設けた支軸穴３２と、シフター４の上端に設けた連結部４ａに結合する爪部３３ａを有する爪３３に形成された支軸穴３４とに挿通されて錠ケース１に接続される。また、爪３３に設けたピン３３ｂに掛金１５の軸穴３５が係止されるとともに、掛金１５に設けたピン穴３６にピン３６ａが係止された状態で、このピン３６ａと錠ケース１の背板１ａに形成した突片３７との間につる巻きばね３８を掛張し、掛金１５を錠ケース１内に収納した位置（例えば図５参照）と、掛金１５の掛止端１５ｃを錠ケース１の一側面１ｂに開設した開口（図示せず）から突出させた位置（図６参照）とにゆるく付勢保持できるようになっている。
【００２０】
また、前記シフター４は、フリー時およびロック時にそれぞれ前記摺動子３とともに上方移動および下方移動するよう前記摺動ピン２１の前記先端２１ｂに係合する切欠孔２６を下部に有する。
【００２１】
４０は、シフター４の前面Ｇの中間位置の中央部に設けたつまみである。このつまみを、図５におけるフリー時において下方操作することによって仮施解錠がなされる（図６参照）。
【００２２】
４１は引戸、４２は、相手側の引戸（または柱）４３に設けた、掛金１５が掛止可能な受金具である。また、４４は、錠ケース１の前面を覆う前面化粧板、４５は、錠ケース１の後面を覆う後面化粧板である。
【００２３】
以下、この発明の特徴的構成について説明する。
図３、図７〜図１１において、前記円板７は、サムターン１３の係合溝部１４を有する後面Ｔにおいて、前記係合溝部１４のまわりに円周状に切欠いた円周溝５０を有するとともに、この円周溝５０内に前記円板７をフリー時とロック時において位置決めするために用いるピン溝５１を有する。
【００２４】
この位置決め手段は、前記ピン溝５１と、フリー時とロック時とに切替わるときに前記円周溝５０を摺動する摺動部材５２と、この摺動部材５２から突出され、前記上下案内部８の裏面Ｒ側に設けた屋根部５４の中央に形成された小孔部５５を貫通する位置決め用のシャフト５６と、このシャフト５６に両端５７ａ，５７ｂが常時それぞれ前記小孔部５５および摺動部材５２を押圧するよう介挿され、それによって、フリー時とロック時に前記円板７の回動を阻止しうる位置決め用のバネ５７とより主としてなる。更に、摺動部材５２は、前記ピン溝５１に嵌合する位置決め用のピン５８を有する。
【００２５】
而して、図７および図１０に示すフリー時から図９および図１３に示されるロック時に切替えるには、
（１）まず、キー溝１０にキー１６を挿入する。図１２は、キー挿入時の回動体６に設けた前記係止突起１１の位置を示す。
【００２６】
（２）続いて、キー溝１０に挿入されたキー１６をたとえば時計まわり（Ａ方向）に回動させ始めると、予め摺動子３の係止孔１７に遊嵌係合している回転円板７のピン軸１２が回動体６の前記係止突起１１に係合して回転円板７がＡ方向に回動し始める（図８参照）。このとき、摺動子３が下方へ移動し始める。
【００２７】
（３）同時に、摺動子３の上端に設けた摺動カム２０が支持部材５の前記傾斜面Ｑにより摺動子３の上端に摺動カム２０に隣接して設けた摺動ピン２１の側に押されて摺動ピン２１の先端２１ａがシフター４の下端に設けた切欠孔２６に引掛かり、摺動子３とともにシフター４も下方へ移動し始める。
【００２８】
（４）この状態でキー１６を１８０度回動させると図９に示すロック状態になる。すなわち、摺動子３の更なる下降に連係してシフター４も図９に示すように更に下降した状態になるとともに、このシフター４に連結支持されている掛金１５を閉位置に固定することができる。図１３は、キー１６を前記Ａ方向に１８０度回動させたロック時における回動体６に設けた前記係止突起１１の位置を示す。すなわち、図１３において、キー１６を前記Ａ方向に１８０度回動させると、係止突起１１に係合するピン軸１２を介して回転円板７もＡ方向に回動する。
【００２９】
そして、キー溝１０に挿入されているキー１６をロック位置から反時計まわりに１８０度回動させて回動体６に設けた前記係止突起１１を図１２で示すキー挿入時（フリー時）の位置にもってきてキー１６を取り外す。
【００３０】
以上のように従来と何ら変わることのないロック動作であるけれども、このロック時において、従来では、前記回転円板１０６が確実に位置決めされていないから振動等の反動で回転円板１０６は前記Ａ方向とは逆の方向に回動し易くなる事態が発生していたのに対し、この発明では、前記Ａ方向とは逆の方向に前記ピン軸１２を遮るものがないけれども、前記位置決め手段５１，５０，５２，５５，５６，５７，５８によって回転円板７を図１１で示すロック位置に位置決めしているので、前記逆の方向に回転円板７のピン軸１２が回動するのを確実に防止できる。
【００３１】
逆に、ロック時からフリー時に切替えるには、図１２に示す状態にてキー溝１０にキー１６が挿入されることになり、図１４に示すように、前記Ａ方向とは逆の方向（Ａ’方向）にキー１６を１８０度以上回動させると掛金１５が受金具４２から外れてフリーの状態になる（図１０参照）。
【００３２】
そして、このフリー時において、従来では、前記回転円板１０６が確実に位置決めされておらず、しかも、前記Ａ方向には前記ピン軸１１３を遮るものはないので、振動等の反動で回転円板１０６は前記Ａ方向に回動し易くなり、ロック状態になる事態が発生していたのに対し、この発明では、前記Ａ方向には前記ピン軸１２を遮るものはないけれども、前記位置決め手段５１，５０，５２，５５，５６，５７，５８によって回転円板７を図１０で示すフリー位置に位置決めしているので、前記Ａ方向に回転円板７のピン軸１２が回動するのも確実に防止できる。
【００３３】
また、図５、図７に示すフリー時からシフター４のつまみ４０を下方操作することによって仮施錠がなされる場合（図６参照）、フリー時には摺動ピン２１の先端２１ａがシフター４の下端に設けた切欠孔２６に引掛かっていない（図５、図７参照）ので、摺動子３は移動せず、シフター４だけが図６に示すように下方移動する。そして、この仮施錠の状態から、キー溝１０にキー１６を挿入し、キー溝１０に挿入されたキー１６をＡ方向に１８０度回動させると図９に示すロック状態にできる。というのは、図６において、摺動子３が下方へ移動し、摺動ピン２１の先端２１ａがシフター４の下端に設けた切欠孔２６に引掛かるからである。
【００３４】
【発明の効果】
以上説明したようにこの発明では、フリー時とロック時において回動円板を位置決め手段によって確実に位置決めするように構成したので、ロック時に突然掛金が解錠されたり、フリー時に掛金が施錠されたりするおそれを回避できる。
【図面の簡単な説明】
【図１】この発明の一実施形態を示す斜視図である。
【図２】上記実施形態における解錠時の状態を示す縦断側面図である。
【図３】上記実施形態を示す分解斜視図である。
【図４】上記実施形態における錠ケースの解錠時の縦断正面図である。
【図５】上記実施形態における仮施錠前の錠ケースの解錠状態を示す構成説明図である。
【図６】上記実施形態における仮施錠後の錠ケースの状態を示す構成説明図である。
【図７】上記実施形態における錠ケースの解錠状態を示す構成説明図である。
【図８】上記実施形態における錠ケースの本錠状態に至る途中の状態を示す構成説明図である。
【図９】上記実施形態における錠ケースの本錠状態を示す構成説明図である。
【図１０】上記実施形態における錠ケースの解錠状態を示す構成説明図である。
【図１１】上記実施形態における錠ケースの本錠状態を示す構成説明図である。
【図１２】上記実施形態におけるキー挿入・取り外し動作を示す構成説明図である。
【図１３】上記実施形態における錠ケースの本錠状態を示す構成説明図である。
【図１４】上記実施形態における錠ケースの本錠状態および解錠状態間の動作を示す構成説明図である。
【図１５】従来例を示す分解斜視図である。
【図１６】従来例におけるキー挿入・取り外し動作を示す構成説明図である。
【図１７】従来例における錠ケースの解錠状態を示す構成説明図である。
【図１８】従来例における錠ケースの本錠状態に至る途中の状態を示す構成説明図である。
【図１９】従来例における錠ケースの本錠状態を示す構成説明図である。
【図２０】従来例における錠ケースの本錠状態または仮施錠状態を示す構成説明図である。
【図２１】従来例における錠ケースの本錠状態を示す構成説明図である。
【符号の説明】
１…錠ケース、２…ロック装置、３…摺動子、４…シフター、５…支持部材、６…回動体、７…回動円板、８…上下案内部、９…貫通孔、１１…係止突起、１２…ピン軸、１５…掛金、１７…係止孔、２０…摺動カム、２１…摺動ピン、２６…切欠孔、５１，５０，５２，５５，５６，５７，５８…位置決め手段、Ｑ…傾斜面。
【図１】
0003647742.tif 000002
【図２】
0003647742.tif 000003
【図３】
0003647742.tif 000004
【図４】
0003647742.tif 000005
【図５】
0003647742.tif 000006
【図６】
0003647742.tif 000007
【図７】
0003647742.tif 000008
【図８】
0003647742.tif 000009
【図９】
0003647742.tif 000010
【図１０】
0003647742.tif 000011
【図１１】
0003647742.tif 000012
【図１２】
0003647742.tif 000013
【図１３】
0003647742.tif 000014
【図１４】
0003647742.tif 000015
【図１５】
0003647742.tif 000016
【図１６】
0003647742.tif 000017
【図１７】
0003647742.tif 000018
【図１８】
0003647742.tif 000019
【図１９】
0003647742.tif 000020
【図２０】
0003647742.tif 000021
【図２１】
0003647742.tif 000022